(57)【要約】【課題】コードレス電話装置の親機と子機との間で送受される信号に対する電波干渉の発生を予測し、通信に用いるスロットやチャンネルの取得指示や移動指示を可能にする。【解決手段】各親機からのスキャンデータが、主装置１のスキャンデータ部１５Ｂに親機ごとであって時系列順に記憶保持される。また、各親機からの使用スロットデータが、主装置１の使用スロットデータ部１５Ａに、親機ごとであって時系列順に記憶保持される。主装置１の制御回路１２は、スキャンデータ部１５Ｂと使用スロットデータ部１５Ａの蓄積データを用いて、電波干渉の影響を受ける可能性の高いスロットを予測し、これに基づき、親機が取得するスロットや移動先となるスロットを指示する。【選択図】図１
2018117207.tif 000002
【特許請求の範囲】
【請求項１】
上位装置に対して、親機と子機とからなるコードレス電話装置が複数接続されると共に、前記親機と前記子機との間では、選択された通信チャンネルにおいて、単位通信期間を複数のスロットに分割し、親機から子機への通信と子機から親機への通信のそれぞれにおいて、少なくとも１つのスロットを用いてＴＤＭＡ（Time Division Multiple Access；時分割多元接続）／ＴＤＤ（Time Division Duplex；時分割複信）方式の無線通信を行うようにする電話システムにおいて、
前記親機のそれぞれは、
所定のタイミングごとに、子機との間で通信に用いているチャンネルの信号を受信して、前記単位通信期間の複数の前記スロットにおける信号の有無を検出する検出手段と、
自機の識別情報と前記検出手段で検出された複数の前記スロットごとの信号の有無を示す情報とを含むスキャンデータを、前記上位装置に送信する第１の送信手段と、
所定のタイミングごとに、自機の識別情報と自機の使用チャンネル及び使用スロットを示す情報とを含む使用スロットデータを、前記上位装置に送信する第２の送信手段と、
前記上位装置からの指示情報を受信する指示情報受信手段と、
前記受信手段を通じて受け付けた前記指示情報に基づいて、子機との間の通信で使用するスロットを選択するように制御する制御手段と
を備え、
前記上位装置は、
前記親機からの前記スキャンデータを受信する第１の受信手段と、
前記第１の受信手段を通じて受信した前記スキャンデータを、前記親機ごとであって時系列順に記憶保持するスキャンデータ記憶手段と、
前記親機からの前記使用スロットデータを受信する第２の受信手段と、
前記第２の受信手段を通じて受信した前記使用スロットデータを、前記親機ごとであって時系列順に記憶保持する使用スロットデータ記憶手段と、
前記スキャンデータ記憶手段の蓄積データと前記使用スロットデータ記憶手段の蓄積データとに基づいて、電波干渉の影響を受けるおそれがあるスロットを予測する予測手段と、
前記予測手段での予測結果に基づいて、用いるべきスロットを指示する指示情報を形成し、前記親機に送信する指示情報送信手段と
を備えることを特徴とする電話システム。
【請求項２】
請求項１に記載の電話システムであって、
前記親機のそれぞれは、
前記単位通信期間において通知に使用するスロットを取得する場合に、取得に適したスロットの問い合わせを前記上位装置に対して行う問合せ手段を備え、
前記上位装置は、
前記親機のそれぞれからの前記問合せを受け付ける問合せ受付手段を備え、
前記指示情報送信手段は、前記問合せ受付手段を通じて、前記問合せを受け付けた場合に、前記指示情報を形成する
ことを特徴とする電話システム。
【請求項３】
請求項１に記載の電話システムであって、
前記上位装置の前記指示情報送信手段は、前記予測手段からの予測結果が、現在使用中のスロットが電波干渉の影響を受けるおそれがある親機が存在する場合に、当該親機に対する前記指示情報を形成して送信することにより、当該親機に対してスロットの移動を指示することを特徴とする電話システム。
【発明の詳細な説明】
【技術分野】
【０００１】
この発明は、例えば、ＴＤＭＡ（Time Division Multiple Access；時分割多元接続）／ＴＤＤ（Time Division Duplex；時分割複信）方式が適用されたデジタルコードレス電話装置を含んで構成される電話システムに関する。
【背景技術】
【０００２】
日本においては、デジタルコードレス電話の標準規格Ｔ１０１が、一般社団法人電波産業会（ＡＲＩＢ）により、２０１１年に策定され、その中に、ＤＥＣＴ（Digital Enhanced Cordless Telecommunication）規格の技術内容が含まれている。そして、ＤＥＣＴ規格のコードレス電話装置が、ビジネスホンシステムでも用いられるようになってきている。なお、ビジネスホンシステムは、１以上の電話回線を収容した主装置などの上位装置に対して、複数の電話機を接続することにより、企業のオフィスなどに構築される業務用電話システムである。
【０００３】
デジタルコードレス電話のＤＥＣＴ規格においては、親機から子機への送信を行う場合の通信方式は時分割多重方式を使用する時分割複信方式であること、子機から親機への送信を行う場合の通信方式は時分割多元接続方式を使用する時分割複信方式であること、周波数は１．９ＧＨｚ帯を使用すること、チャンネル数は最大５チャンネルであること、などが定められている。
【０００４】
そして、ＤＥＣＴ規格においては、符号化データの、各チャンネルＣｈ１〜Ｃｈ５における１フレームは、図１５に示すように、２４スロットからなるものとされ、前半の１／２フレームの１２スロットＳ０〜Ｓ１１は、親機から子機へのダウンリンクに用いられ、後半の１／２フレームの１２スロットＳ１２〜Ｓ２３は、子機から親機へのアップリンクに用いられる。そして、各スロットは、制御データを伝送するＡフィールドと音声データを伝送するＢフィールドとなどが設けられた構成を有する。
【０００５】
ＤＥＣＴ規格のコードレス電話装置においては、親機と子機との間では、無線通信を行うために、所定のチャンネルの各フレームにおいて、無線通信に用いるダミーベアラと呼ばれるスロットを取得する。そして、子機からの発信、着信に応じた主装置からコードレス電話装置の呼び出しなど、各種コマンドの送受信を、親機と子機との間においては各フレームにおいて取得したスロットであるダミーベアラを用いて行う。そして、各種コマンドの送受信のためのスロットであるダミーベアラは、閾値を超える電波障害を受けない限り常に同じチャンネルの各フレームの同じスロットを使用するように維持する仕組みになっている。
【０００６】
一方、待機状態から通話状態に移行した後に、近接する第三者が使用するＰＨＳ電話機等の干渉波により、通話データにエラーが発生し通話品質（音質）が悪くなり、使用するチャンネルあるいはフレーム内のスロットを変更しなければならないといった問題が生じる場合がある。このような場合には、例えば後に記す特許文献１に記載の発明を用いることができる。
【０００７】
特許文献１に記載の発明は、ＤＥＣＴ方式のコードレス電話機とＰＨＳ（Personal handy phone system）方式の電話機とが利用される環境下における、ＤＥＣＴ方式のコードレス電話装置側の制御に関するものである。具体的には、ＰＨＳの固定局から発信される信号による干渉があるか否かを判別し、干渉があると判別された場合に、当該干渉を避けるように使用する周波数帯域及びスロットタイミングを設定するというものである。
【先行技術文献】
【特許文献】
【０００８】
【特許文献１】特開２０１１−７７９８５号公報
【発明の概要】
【発明が解決しようとする課題】
【０００９】
ところで、主装置に対して複数のＤＥＣＴ方式のコードレス電話装置を接続して構築するビジネスホンシステムの場合、当該主装置に接続されたコードレス電話装置間では同期がとれており、スロット幅から外れることはない。このため、同じ主装置に接続されたコードレス電話装置の親機と子機との間で送受される電波は、相互に干渉を生じるおそれはないので、電波干渉対策からは除外する必要がある。そして、例えばＰＨＳなどの他システムの使用する電波が、当該ビジネスホンシステムのコードレス電話装置が使用する電波と近接する場合に電波干渉を回避する必要があるのである。
【００１０】
また、ＰＨＳのように通信（通話）した後にスロットを開放し、通信時にスロットを取得し直す装置もある。このため、待機状態にあるときに安全なスロットに適宜移動する対応だけでは不十分である。電波干渉の虞がある信号の送出元が同じ主装置に接続された同じシステムを構成する端末か否かを見極めた上で、他のシステムの端末が送出する電波により干渉が生じる可能性が高いスロットを適切に予測し、スロットの割り当てや移動の指示を行う必要がある。
【００１１】
以上のことに鑑み、この発明は、コードレス電話装置の親機と子機との間で送受される信号に対する電波干渉の発生を適切に予測し、スロットやチャンネルの取得指示や移動指示を適切に行うことができるようにすることを目的とする。
【課題を解決するための手段】
【００１２】
上記課題を解決するため、請求項１に記載の発明の電話システムは、
上位装置に対して、親機と子機とからなるコードレス電話装置が複数接続されると共に、前記親機と前記子機との間では、選択された通信チャンネルにおいて、単位通信期間を複数のスロットに分割し、親機から子機への通信と子機から親機への通信のそれぞれにおいて、少なくとも１つのスロットを用いてＴＤＭＡ（Time Division Multiple Access；時分割多元接続）／ＴＤＤ（Time Division Duplex；時分割複信）方式の無線通信を行うようにする電話システムにおいて、
前記親機のそれぞれは、
所定のタイミングごとに、子機との間で通信に用いているチャンネルの信号を受信して、前記単位通信期間の複数の前記スロットにおける信号の有無を検出する検出手段と、
自機の識別情報と前記検出手段で検出された複数の前記スロットごとの信号の有無を示す情報とを含むスキャンデータを、前記上位装置に送信する第１の送信手段と、
所定のタイミングごとに、自機の識別情報と自機の使用チャンネル及び使用スロットを示す情報とを含む使用スロットデータを、前記上位装置に送信する第２の送信手段と、
前記上位装置からの指示情報を受信する指示情報受信手段と、
前記受信手段を通じて受け付けた前記指示情報に基づいて、子機との間の通信で使用するスロットを選択するように制御する制御手段と
を備え、
前記上位装置は、
前記親機からの前記スキャンデータを受信する第１の受信手段と、
前記第１の受信手段を通じて受信した前記スキャンデータを、前記親機ごとであって時系列順に記憶保持するスキャンデータ記憶手段と、
前記親機からの前記使用スロットデータを受信する第２の受信手段と、
前記第２の受信手段を通じて受信した前記使用スロットデータを、前記親機ごとであって時系列順に記憶保持する使用スロットデータ記憶手段と、
前記スキャンデータ記憶手段の蓄積データと前記使用スロットデータ記憶手段の蓄積データとに基づいて、電波干渉の影響を受けるおそれがあるスロットを予測する予測手段と、
前記予測手段での予測結果に基づいて、用いるべきスロットを指示する指示情報を形成し、前記親機に送信する指示情報送信手段と
を備えることを特徴とする。
【００１３】
請求項１に記載の発明の電話システムによれば、コードレス電話装置の親機のそれぞれでは、所定のタイミングごとに、検出手段によって単位通信期間の複数のスロットごとに信号の有無が検出される。検出手段からの検出結果は、親機の識別情報と共に、スキャンデータとして第１の送信手段を通じて上位装置に送信される。また、親機のそれぞれでは、当該所定のタイミングごとに、親機の識別情報と当該親機の使用チャンネル及び使用スロットを示す情報とを含む使用スロットデータが、第２の送信手段を通じて上位装置に送信される。
【００１４】
上位装置では、第１の受信手段を通じて受信された各親機からのスキャンデータが、スキャンデータ記憶手段に、親機ごとであって時系列順に記憶保持される。また、第２の受信手段を通じて受信された各親機からの使用スロットデータが、使用スロットデータ記憶手段に、親機ごとであって時系列順に記憶保持される。そして、上位装置の予測手段により、スキャンデータ記憶手段と使用スロットデータ記憶手段との蓄積データが用いられて、他システムの電波による電波干渉の影響を受けるスロットが予測される。この予測手段の予測結果に基づいて、指示情報送信手段が、親機が用いるべきスロットを指示する指示情報を形成し、親機に送信する。
【００１５】
これにより、電波干渉の影響を受けることが予想されるスロットを避けて、親機と子機との間で通信を行うために用いるチャンネルのスロットを、上位装置から適切に指示することができる。したがって、親機と子機との間で行う通信が、電波干渉の影響を受けることを極力防止し、常時適切に通信を行うことができるようにされる。
【００１６】
なお、なお、この明細書において、他システムの電波は、上位装置に接続されたコードレス電話装置が放射している電波以外の電波であって、上位装置に接続されたコードレス電話装置が用いる電波の周波数帯域と同じ帯域の電波をいう。したがって、上位装置には接続されていない例えばＰＨＳシステムで用いられる電波やその他の電子機器が放射する電波であって、上位装置に接続されたコードレス電話装置が用いる電波の周波数帯域と同じ帯域の電波は、他システムの電波となる。
【発明の効果】
【００１７】
この発明によれば、ＤＥＣＴ方式のコードレス電話装置の親機と子機との間で送受される信号に対する電波干渉の発生を適切に予測し、スロットやチャンネルの取得指示や移動指示を適切に行うことができる。これにより、親機と子機との間において、電波干渉の影響を受けずに、適切に通信が可能な環境を維持できる。
【図面の簡単な説明】
【００１８】
【図１】実施の形態の電話システムの全体構成の概要を説明するためのブロック図である。
【図２】実施の形態の電話システムの一部を構成する主装置の構成例を示すブロック図である。
【図３】実施の形態の電話システムの一部を構成するコードレス電話装置の親機の構成例を示すブロック図である。
【図４】使用スロットデータ（図４（Ａ））とスキャンデータ（図４（Ｂ））とについて説明するための図である。
【図５】主装置のデータ蓄積部に設けられる使用スロットデータ部とスキャンデータ部とについて説明するための図である。
【図６】実施の形態の電話システムの一部を構成するコードレス電話装置の子機の構成例を示すブロック図である。
【図７】電波干渉の予測と取得スロットの指示について説明するための図である。
【図８】電波干渉の予測と取得スロットの指示について説明するための図である。
【図９】電波干渉の予測と取得スロットの指示について説明するための図である。
【図１０】電波干渉の予測と取得スロットの指示について説明するための図である。
【図１１】親機で実行されるキャリアセンス処理について説明するためのフローチャートである。
【図１２】親機で実行されるスロットの問い合わせ処理について説明するためのフローチャートである。
【図１３】親機で実行される主装置からの指示に応じたスロットの移動処理について説明するためのフローチャートである。
【図１４】主装置で実行される電波干渉の予測処理について説明するためのフローチャートである。
【図１５】ＤＥＣＴ規格の通信方式を説明するための図である。
【発明を実施するための形態】
【００１９】
以下、図を参照しながら、この発明の電話システムの実施の形態について説明する。以下に説明する実施の形態においては、例えば、オフィスビル内などに構成されるいわゆるビジネスホンシステムに、この発明を適用した場合を例にして説明する。
【００２０】
［電話システムの構成例］
図１は、この実施形態の電話システム１０の全体の構成例を示すブロック図である。電話システム１０は、この発明の電話システムの一実施の形態が適用されたものである。そして、電話システム１０においては、上位装置の例としての主装置１に対して、内線電話装置として、複数のコードレス電話装置２１，２２，・・・，２ｎ（ｎは２以上の整数。以下同じ）が接続されている。コードレス電話装置２１〜２ｎのそれぞれは、親機としてのベースセットＢＳ１，ＢＳ２，・・・，ＢＳｎのそれぞれと、子機としてのハンドセットＨＳ１，ＨＳ２，・・・，ＨＳｎのそれぞれとからなり、親機ＢＳ１〜ＢＳｎのそれぞれと、子機ＨＳ１〜ＨＳｎのそれぞれとは、無線接続される。
【００２１】
なお、親機ＢＳ１〜ＢＳｎのそれぞれに対しては、複数の子機を無線接続することも可能であるが、この例では、１台の親機に対して、１台の子機が接続される構成とされている。また、図示は省略するが、主装置１に接続される内線電話装置としては、コードレス電話装置２１，２２，・・・，２ｎのみではなく、通常のビジネスホンと同様に、デジタルボタン電話端末も接続できる。
【００２２】
そして、この実施形態では、コードレス電話装置２１〜２ｎの親機ＢＳ１〜ＢＳｎのそれぞれと、子機ＨＳ１〜ＨＳｎのそれぞれとの間の無線接続は、前述したデジタルコードレス電話のＤＥＣＴ規格（方式）を用いたＴＤＭＡ／ＴＤＤ方式により行うようにしている。
【００２３】
主装置１は、上位装置の一実施の形態が適用されたものである。主装置１は、１又は複数の電話回線Ｌ１〜Ｌｍ（ｍは２以上の整数）を収容可能である。そして、コードレス電話装置２１〜２ｎのそれぞれの親機ＢＳ１〜ＢＳｎが、この主装置１に接続されている。図１の例では、親機ＢＳ１〜ＢＳｎと主装置１とは有線で接続されているが、無線であってもよい。
【００２４】
主装置１は、複数のコードレス電話装置２１〜２ｎについての呼制御及び回線交換制御、その他のビジネスホンとしての制御を行うと共に、基準同期信号ＳＹＮＣを複数のコードレス電話装置２１〜２ｎのそれぞれに供給する機能を備えている。基準同期信号ＳＹＮＣは、この例では、１３０ミリ秒（ｍｓ）周期の信号とされている。
【００２５】
コードレス電話装置２１〜２ｎの親機ＢＳ１〜ＢＳｎのそれぞれは、主装置１からの基準同期信号ＳＹＮＣに同期して、ＤＥＣＴ規格のデジタルコードレス電話の単位通信期間である１フレーム（１０ミリ秒（ｍｓ））の周期のフレーム同期信号を生成し、その生成したフレーム同期信号に基づいて、ＤＥＣＴ規格を用いたＴＤＭＡ／ＴＤＤ方式の無線通信を子機ＨＳ１〜ＨＳｎとの間で実行する。したがって、複数のコードレス電話装置２１〜２ｎの全ては、主装置１からの基準同期信号ＳＹＮＣに同期した動作をする。
【００２６】
親機ＢＳ１〜ＢＳｎのそれぞれは、コードレス電話装置の親機の一実施の形態が適用されたものである。親機ＢＳ１〜ＢＳｎのそれぞれは、基準同期信号ＳＹＮＣに基づいて、フレーム同期信号を生成し、その生成したフレーム同期信号に基づいて、子機ＨＳ１〜ＨＳｎとの間で、１フレーム期間の複数のスロットの内の一つを用いて無線通信を行うように制御する。
【００２７】
親機ＢＳ１〜ＢＳｎのそれぞれは、図１に示すように、キャリアセンス部４４２２を備えている。キャリアセンス部４４２２は、例えば１．２８秒（１２８フレーム）ごとに、子機との間で通信に用いている通信チャンネルを通じて１フレーム分の信号を受信し、各スロットに信号（電波）が存在するかをチェックするキャリアセンス処理（スキャン処理）を行う。このキャリアセンス処理は、いわゆるバックグラウンドで行われる。すなわち、当該キャリセンス処理は、通常の通信処理に関わる処理とは別の処理として行われる。
【００２８】
そして、親機ＢＳ１〜ＢＳｎのそれぞれは、通知処理部４１２を備え、自機の識別ＩＤとキャリアセンス部４４２２の処理の結果得られたスロットごとの信号の有無を示す情報とを含むスキャンデータを形成し、これを主装置１に通知（送信）する。また、通知処理部４１２は、キャリアセンス処理の実行タイミングである１．２８秒（１２８フレーム）ごとにおける子機との間の通信に用いているスロットを示す情報と、自機の識別情報とからなる使用スロットデータを形成し、これを主装置１に通知（送信）する。
【００２９】
主装置１は、図１に示すように、制御回路１２とデータ蓄積部１５とを備える。そして、主装置１の制御回路１２は、親機ＢＳ１〜ＢＳｎのそれぞれから通知されるスキャンデータを、データ蓄積部１５のスキャンデータ部１５Ｂに時系列順（通知された順）に格納する。同様に、主装置１の制御回路１２は、親機ＢＳ１〜ＢＳｎのそれぞれから通知される使用スロットデータを、データ蓄積部１５の使用スロットデータ部１５Ａに時系列順（通知された順）に格納する。
【００３０】
主装置１の制御回路１２は、スキャンデータ部１５Ｂのスキャンデータと、使用スロットデータ部１５Ａの使用スロットデータとを用いて、コードレス電話装置ごとに電波干渉を受けるおそれがあるスロットを予測する。そして、主装置１の制御回路１２は、親機ＢＳ１〜ＢＳｎの問い合わせに応じて、電波干渉を受ける可能性の低いスロットを取得すべきスロットとして指示する。また、主装置１の制御回路１２は、親機ＢＳ１〜ＢＳｎのそれぞれにおいて、使用中のスロットが電波干渉を受ける可能性が高い親機が存在する場合に、当該親機に対してスロットの移動を指示する。
【００３１】
親機ＢＳ１〜ＢＳｎのそれぞれは、スロット制御部４１３が機能し、主装置１からの指示に応じて、子機との間で通信に使用するスロットを取得したり、また、取得して用いているスロットを他のスロットに移動したりする。これにより、親機ＢＳ１〜ＢＳｎのそれぞれは、電波干渉の影響を受ける可能性の低いスロットを用いて、子機との間で通信を行うことができる。
【００３２】
このように、親機ＢＳ１〜ＢＳｎのそれぞれは、主装置１と協働することによって、電波干渉を受ける可能性の低いスロットを使用して、常時、良好に子機との間で無線通信を行うことができる。したがって、待ち受け時においては、子機ＨＳ１〜ＨＳｎのそれぞれは、対応する親機ＢＳ１〜ＢＳｎを通じて主装置１からの制御を適切に受けることができる。また、通話時においても、対応する親機ＢＳ１〜ＢＳｎと子機ＨＳ１〜ＨＳｎとの間で通信品質が劣化することもないようにできる。
【００３３】
次に、この実施の形態の電話システムを構成する主装置１の構成例と、コードレス電話装置２１〜２ｎの親機ＢＳ１〜ＢＳｎと子機ＨＳ１〜ＨＳｎとのそれぞれの構成例について説明する。
【００３４】
［主装置１の構成例］
図２は、主装置１の構成例を示すブロック図である。図２に示すように、主装置１は、電話回線Ｌ１〜Ｌｍが接続される回線インターフェース１１と、コンピュータを搭載して、主装置１の全体を制御するための制御回路１２と、回線ＬＳＩ（Large Scale Integrated Circuit）部１３と、基準発振器１４と、データ蓄積部１５とを備えて構成されている。
【００３５】
回線インターフェース１１は、制御回路１２からの制御により、回線Ｌ１〜Ｌｍからの音声信号（受話音声信号）は、回線ＬＳＩ部１３に供給し、回線からの呼制御信号などの制御信号は、制御回路１２に供給する。また、回線インターフェース１１は、制御回路１２からの制御により、回線ＬＳＩ部１３からの音声信号（送話音声信号）は、回線Ｌ１〜Ｌｍを通じて相手方に送信し、制御回路１２からの呼制御信号などの制御信号も、回線Ｌ１〜Ｌｍを通じて相手方に送信する。
【００３６】
回線ＬＳＩ部１３は、ｎ個の内線電話装置に対応して、ｎ個の内線処理回路１３１，１３２，・・・，１３ｎと、タイミング信号生成部１３０を備える。タイミング信号生成部１３０には、水晶振動子を用いた高精度の基準発振器１４からの基準クロック信号から伝送用クロック信号ＣＫ及び多重化／分割化用タイミング信号ＴＭを生成し、ｎ個の内線処理回路１３１〜１３ｎに供給する。
【００３７】
ｎ個の内線処理回路１３１〜１３ｎは、全く同一の構成を備えるもので、それぞれ、音声信号処理部３１と、制御信号処理部３２と、同期信号処理部３３と、多重化／分割化処理部３４とからなる。
【００３８】
音声信号処理部３１は、回線インターフェース１１に接続されると共に、多重化／分割化処理部３４に接続されており、回線インターフェース１１からの受話音声信号及び多重化／分割化処理部３４からの送話音声信号の処理回路である。この音声信号処理部３１には、タイミング信号生成部１３０からの伝送用クロック信号ＣＫが供給されている。
【００３９】
制御信号処理部３２は、制御回路１２の制御信号入出力端に接続されると共に、多重化／分割化処理部３４に接続されており、発信時及び着信時、また、終話時などにおける呼制御信号などの制御信号（主装置１からコードレス電話装置への制御信号と、コードレス電話装置から主装置１への制御信号の両方）の処理回路である。この制御信号処理部３２にも、タイミング信号生成部１３０からの伝送用クロック信号ＣＫが供給されている。
【００４０】
同期信号処理部３３は、制御回路１２の同期信号出力端に接続されると共に、多重化／分割化処理部３４に接続されており、制御回路１２からの所定の同期信号パターンを有する基準同期信号ＳＹＮＣの処理回路である。この同期信号処理部３３にも、同様に、タイミング信号生成部１３０からの伝送用クロック信号ＣＫが供給されている。
【００４１】
多重化／分割化処理部３４は、音声信号処理部３１、制御信号処理部３２、同期信号処理部３３に接続されると共に、コードレス電話装置２１〜２ｎの親機ＢＳ１〜ＢＳｎのそれぞれに接続される。そして、多重化／分割化処理部３４は、タイミング信号生成部１３０からのタイミング信号ＴＭに基づいて、音声信号処理部３１からの音声信号と、制御信号処理部３２からの制御信号と、同期信号処理部３３からの基準同期信号ＳＹＮＣとを多重化（時分割多重）して多重化信号を生成し、その生成した多重化信号を親機ＢＳ１〜ＢＳｎのそれぞれに供給する。また、多重化／分割化処理部３４は、タイミング信号生成部１３０からのタイミング信号ＴＭに基づいて、親機ＢＳ１〜ＢＳｎのそれぞれからの多重化信号を音声信号と制御信号とに分割して、音声信号は音声信号処理部３１に、制御信号は制御信号処理部３２に、それぞれ供給する。
【００４２】
なお、図示しないが、主装置１には、アドレス管理部も接続されている。アドレス管理部は、主装置１に接続されているコードレス電話装置２１〜２ｎの内線番号と内線処理回路１３１〜１３ｎのそれぞれとの対応を記憶管理する。この実施形態の電話システム１０においては、主装置１にコードレス電話装置２１〜２ｎのいずれかが接続された時に、そのコードレス電話装置の親機は、主装置１に対して接続要求を送る。
【００４３】
主装置１は、そのコードレス電話装置の親機からの接続要求を制御信号として受けた内線処理回路が内線処理回路１３１〜１３ｎの内のいずれであるかを検知することにより、コードレス電話装置が接続された内線処理回路を検知する。そして、制御回路１２は、設置工事者や管理者等により設定された内線番号、あるいは自動的に設定された内線番号と、コードレス電話装置が接続された内線処理回路の識別情報とを対応付けてアドレス管理部に登録する。
【００４４】
このアドレス管理部の情報に基づいて、主装置１に接続されたコードレス電話装置の動作状況などを適切に把握することができると共に、主装置１に接続されたコードレス電話装置のそれぞれを適切に制御できる。
【００４５】
さらに、図２に示すように、制御回路１２には、データ蓄積部１５が接続されている。データ蓄積部１５は、ハードディスクなどの記憶容量の大きな記録媒体を備えて構成される。制御回路１２は、データ蓄積部１５に対してデータを記録したり、データ蓄積部１５からデータ読み出したり、また、データ蓄積部１５に記録されているデータを消去したりすることができる。
【００４６】
そして、データ蓄積部１５には、図２に示すように、使用スロットデータ部１５Ａとスキャンデータ部１５Ｂとが設けられている。これら使用スロットデータ部１５Ａの使用スロットデータとスキャンデータ部１５Ｂのスキャンデータとを用いて、制御回路１２が、コードレス電話装置ごとに、他のシステムの電波による干渉（電波干渉）を受けるおそれがあるスロットを予測する。そして、主装置１の制御回路１２は、親機ＢＳ１〜ＢＳｎに対して、取得すべきスロットを指示したり、スロットの移動を指示したりする。
【００４７】
なお、使用スロットデータ部１５Ａやこれに格納される使用スロットデータの詳細、また、スキャンデータ部１５Ｂやこれに格納されるスキャンデータの詳細については後述する。
【００４８】
［コードレス電話装置の構成例］
複数個のコードレス電話装置２１〜２ｎの親機ＢＳ１〜ＢＳｎ及び子機ＨＳ１〜ＨＳｎのそれぞれは、全て同じ構成を備える。そこで、以下の説明では、コードレス電話装置２１の親機ＢＳ１及び子機ＨＳ１の場合を例にとって、親機及び子機の構成例を説明する。
【００４９】
＜親機の構成例＞
図３は、親機ＢＳ１の構成例を示すブロック図である。この図３に示すように、親機ＢＳ１は、親機ＢＳ１の全体を制御するための制御回路４１と、回線ＬＳＩ部４２と、同期信号発生回路４３と、無線通信回路４４と、発振器４５及び４６とを備えて構成されている。
【００５０】
制御回路４１は、コンピュータを搭載して構成されている。そして、制御回路４１は、この親機ＢＳ１における呼制御などの制御を行う機能を備える。また、制御回路４１は、図３に示すように、メモリ４１１と、通知処理部４１２と、スロット制御部４１３とを備える。メモリ４１１は、１．２８秒ごとに後述する無線通信回路４４から供給される使用スロットを示す情報やキャリアセンス処理の結果を示す情報を記憶保持する。
【００５１】
通知処理部４１２は、メモリ４１１に記憶保持された使用スロットを示す情報に基づいて、使用スロットデータを形成し、主装置１に送信するようにする。また、通知処理部４１２は、メモリ４１１に記憶保持されたキャリアセンス処理の結果を示す情報に基づいて、スキャンデータを形成し、主装置１に送信するようにする。使用スロットデータとスキャンデータの詳細は後述する。
【００５２】
スロット制御部４１３は、主装置１から送信されて来るスロットの取得指示に応じて、取得するスロットを無線通信回路４４に指示する機能を実現する。また、スロット制御部４１３は、主装置１から送信されてくるスロットの移動指示に応じて、移動先のスロットを無線通信回路４４に指示する機能を実現する。
【００５３】
なお、スロット制御部４１３は、待機状態（アイドル状態）においては、適切なスロットをダミーベアラとして特定し、このダミーベアラを通じて、子機に対して、同期信号等を含め、種々の制御情報を送信するように制御する機能も備える。ここで待機状態は、親機ＢＳ１に電源が投入されており、着信や発信の発生を受け付けて動作できるようになっている状態である。
【００５４】
また、スロット制御部４１３は、着信が発生したり、子機から発信を行うようにしたりした場合には、適切なスロットをトラフィックベアラとして特定して、このトラフィックベアラを通じて親機と子機との間で相互に通信ができるように制御する機能も備える。トラフィックベアラを通じては、同期信号を含め、種々の制御情報の他、通話の相手先との間で通話回線が接続された後においては、音声情報の送信も行われる。また、着信時には、トラフィックベアラを通じて、親機から子機に対して着信通知も送信される。
【００５５】
この場合、スロット制御部４１３は、子機との間で通信に用いるスロットを特定する。具体的に、スロット制御部４１３は、後述する無線通信回路４４のＴＤＭＡ変復調部４４２に設けられているキャリアセンス部４４２２での検出結果や子機からの要求などに基づいて使用するスロットを特定することができる。
【００５６】
回線ＬＳＩ部４２は、主装置１との間で音声信号、制御信号及び同期信号のやり取りをするための回路であり、分割化／多重化処理部４２１と、制御信号処理部４２２と、音声信号処理部４２３と、同期信号検出部４２４と、ＰＬＬ（Phase locked Loop）部４２５とからなる。
【００５７】
ＰＬＬ部４２５には、発振器４５からの基準周波数の発振信号が供給されると共に、主装置１からの多重化信号が供給される。この例では、発振器４５の発振信号の周波数は、例えば２０４８ＭＨｚ（０．４８８ナノ秒（ｎｓ））とされている。ＰＬＬ部４２５は、主装置１からの多重化信号から、いわゆるセルフクロッキングにより、主装置１のタイミング信号生成部からのクロック信号ＣＫの成分を抽出し、その抽出したクロック信号ＣＫ成分と発振器４５からの発振信号とを位相比較して、その比較結果に基づいて、発振器４５の発振信号から、クロック信号ＣＫ成分に同期する親機ＢＳ１のシステムクロック信号ＳＣＫを生成する。
【００５８】
そして、ＰＬＬ部４２５は、生成したシステムクロック信号ＳＣＫを分割化／多重化処理部４２１、制御信号処理部４２２、音声信号処理部４２３、同期信号検出部４２４のそれぞれに、信号処理用クロック信号として供給すると共に、同期信号発生回路４３に供給する。
【００５９】
分割化／多重化処理部４２１は、主装置１に接続されると共に、制御信号処理部４２２、音声信号処理部４２３、同期信号検出部４２４に接続される。そして、分割化／多重化処理部４２１は、主装置１からの多重化信号から制御信号と音声信号と基準同期信号ＳＹＮＣを分割して、制御信号は制御信号処理部４２２に、音声信号は音声信号処理部４２３に、基準同期信号ＳＹＮＣは同期信号検出部４２４に、それぞれ供給する。また、分割化／多重化処理部４２１は、制御信号処理部４２２からの制御信号と、音声信号処理部４２３からの音声信号とを多重化して多重化信号を生成し、その生成した多重化信号を主装置１に供給する。
【００６０】
制御信号処理部４２２は、制御回路４１の制御信号入出力端に接続されると共に、分割化／多重化処理部４２１に接続されており、発信時及び着信時、また、終話時などにおける呼制御信号などの制御信号（主装置１からコードレス電話装置２１への制御信号と、コードレス電話装置２１から主装置１への制御信号の両方）の処理回路である。
【００６１】
音声信号処理部４２３は、無線通信回路４４に接続されると共に、分割化／多重化処理部４２１に接続されており、無線通信回路４４からの子機ＨＳ１から受信した受話音声信号及び分割化／多重化処理部４２１からの送話音声信号の処理回路である。
【００６２】
同期信号検出部４２４は、分割化／多重化処理部４２１からの基準同期信号ＳＹＮＣを受けて、当該基準同期信号ＳＹＮＣが備える所定の同期信号パターンを検出することで、その検出時点の信号として、基準同期信号ＳＹＮＣと同期する、基準同期信号ＳＹＮＣと同一周期（１３０ｍｓ）の基準同期パルスＰＳを発生する。そして、同期信号検出部４２４は、発生した基準同期パルスＰＳを同期信号発生回路４３に供給する。
【００６３】
同期信号発生回路４３は、カウンタ４３１と、同期信号生成部４３２とからなる。カウンタ４３１には、回線ＬＳＩ部４２の同期信号検出部４２４からの１３０ｍｓの周期の基準同期パルスＰＳがプリセット端子に供給されると共に、ＰＬＬ部４２５からのシステムクロック信号ＳＣＫがカウント入力として供給される。そして、このカウンタ４３１の出力カウント値ＣＮＴが同期信号生成部４３２に供給される。
【００６４】
同期信号生成部４３２は、カウンタ４３１の出力カウント値ＣＮＴから、ＤＥＣＴ規格のフレーム周期（１０ｍｓ）の同期信号ＦＬを発生する。同期信号発生回路４３は、同期信号生成部４３２で生成したフレーム同期信号ＦＬを無線通信回路４４に供給する。
【００６５】
次に、無線通信回路４４について説明する。無線通信回路４４は、制御部４４１と、ＴＤＭＡ変復調部４４２と、無線通信部４４３とを備えて構成されている。無線通信部４４３は、子機ＨＳ１との間で、無線通信を行うための回路部である。
【００６６】
制御部４４１は、ＴＤＭＡ変復調部４４２及び無線通信部４４３に接続されると共に、制御回路４１に接続されている。制御部４４１は、例えば制御回路４１の制御などに応じて、この無線通信回路４４の全体の動作を制御する。また、制御部４４１は、制御回路４１から得た制御信号に基づく制御信号をＴＤＭＡ変復調部４４２に供給する。
【００６７】
ＴＤＭＡ変復調部４４２は、制御部４４１及び回線ＬＳＩ部４２の音声信号処理部４２３に接続されると共に、無線通信部４４３に接続されており、制御部４４１からの制御信号と音声信号処理部４２３からの音声信号を子機ＨＳ１に送信するために変調を行う。このＴＤＭＡ変復調部４４２で変調された信号は、無線通信部４４３を通じて子機ＨＳ１に送信される。
【００６８】
また、ＴＤＭＡ変復調部４４２は、無線通信部４４３で受信された子機ＨＳ１からの受信信号から、音声信号及び制御信号を復調し、復調した音声信号は音声信号処理部４２３に供給し、復調した制御信号は、制御部４４１に供給する。
【００６９】
そして、ＴＤＭＡ変復調部４４２は、クロック生成用のＰＬＬ部４４２１を備える。このＰＬＬ部４４２１には、発振器４６からの発振信号が供給されると共に、同期信号発生回路４３からのフレーム同期信号ＦＬが供給される。ＰＬＬ部４４２１は、同期信号発生回路４３からのフレーム同期信号ＦＬと発振器４６からの発振信号とを位相比較して、その比較結果に基づいて、発振器４６の発振信号から、フレーム同期信号ＦＬに同期するタイミング信号及びクロック信号を生成する。
【００７０】
ＴＤＭＡ変復調部４４２は、フレーム同期信号ＦＬに同期するタイミング信号及びクロック信号を用いて、割り当て使用可能となるダウンリンクでのスロットに相当する期間で子機ＨＳ１への送信信号を生成すると共に、アップリンクでのスロットを用いて、子機ＨＳ１からの受信信号の処理を行うようにする。
【００７１】
キャリアセンス部４４２２は、無線通信部４４３からの受信信号の供給を受けて、所定のタイミングで自機が使用するチャンネルのフレームにおけるスロットの使用状況を検出する。この実施形態において、キャリアセンス部４４２２は、ＰＬＬ部４４２１からのタイミング信号及びクロック信号を利用して、自機が使用するチャンネルのフレームにおいて、どのスロットが使用されているかを検出する。これにより空きスロットも特定できる。この検出結果は、制御部４４１を通じて制御回路４１のスロット制御部４１３に通知される。また、キャリアセンス部４４２２は、ノイズの多いスロットも検出できる。
【００７２】
このような構成を有する親機ＢＳ１では、上述もしたように、１．２８秒周期で使用スロットデータとスキャニングデータとを生成して、主装置１に送信する処理を行う。すなわち、キャリアセンス部４４２２は、１．２８秒周期でバックグラウンドにおいてキャリアセンス処理を実行し、キャリアセンス処理の結果を示す情報を、制御部４４１を通じて制御回路４１に通知する。このとき、制御部４４１は、自機において子機との通信に用いているダウンリンクのスロットＮｏ．とアップリンクのスロットＮｏ．とを、使用スロットを示す情報として制御回路４１に通知する。制御回路４１は、これらの情報をメモリ４１１に一時記憶する。
【００７３】
そして、制御回路４１の通知処理部４１２は、メモリ４１１に一時記憶した情報に基づいて、使用スロットデータとスキャンデータとを生成し、これらを主装置１に送信するようにする。図４は、使用スロットデータ（図４（Ａ））とスキャンデータ（図４（Ｂ））とについて説明するための図である。
【００７４】
まず、使用スロットデータについて説明する。図４（Ａ）に示すように、使用スロットデータは、「シーケンスＮｏ．」、「識別ＩＤ」、「チャンネル」、「ダウンリンクスロットＮｏ．」、「アップリンクスロットＮｏ．」からなる。「シーケンスＮｏ．」は、初期値を「０（ゼロ）」とし、親機において使用スロットデータが生成されるごとに「１」だけインクリメントされて、使用スロットデータに付加される情報である。
【００７５】
したがって、「シーケンスＮｏ．」は、１、２、３、…のように、使用スロットデータに対して生成された順番に付与される通し番号である。そして、「シーケンスＮｏ．」は、所定時間分、あるいは、所定数分、使用スロットデータが生成されると初期化されて「０（ゼロ）」とされ、再度、「１」から順番に付与される。
【００７６】
そして、「識別ＩＤ」は、主装置１に接続されたコードレス電話装置の識別情報である。「チャンネル」は、当該使用スロットデータ生成時における当該コードレス電話装置の親機と子機との間で無線通信に用いている無線チャンネルの識別情報である。また、「ダウンリンクスロットＮｏ．」は、メモリ４１１に一時記憶されている使用スロットを示す情報の「ダウンリンクスロットＮｏ．」である。また。また、「アップリンクスロットＮｏ．」は、メモリ４１１に一時記憶されている使用スロットを示す情報の「アップリンクスロットＮｏ．」である。
【００７７】
次に、スキャンデータについて説明する。図４（Ｂ）に示すように、スキャンデータは、「シーケンスＮｏ．」、「識別ＩＤ」、「チャンネル」、「スロットテーブル部」からなる。「シーケンスＮｏ．」は、図４（Ａ）を用いて説明した使用スロットデータの「シーケンスＮｏ．」と同様のものであり、「０（ゼロ）」を初期値とし、スキャンデータの生成ごとに１インクリメントされる通し番号である。また、１〜所定の最大値までの番号が繰り替えい付与される点も、使用スロットデータの「シーケンスＮｏ．」と同様である。
【００７８】
また、「識別ＩＤ」、「チャンネル」も、図４（Ａ）に示した使用スロットデータの「識別ＩＤ」、「チャンネル」と同様のものである。すなわち、「識別ＩＤ」は、主装置１に接続されたコードレス電話装置の識別情報である。「チャンネル」は、当該使用スロットデータ生成時における当該コードレス電話装置の親機と子機との間で無線通信に用いている無線チャンネルの識別情報である。
【００７９】
そして、「スロットテーブル部」は、１フレームを構成するスロットＳ０〜スロットＳ２３までの２４個の各スロットに対応した例えば１ビットのフラグ領域からなるテーブル部である。このテーブル部の各フラグ領域の初期値は「０（ゼロ）」である。すなわち、初期状態において各フラグ領域は「０（ゼロ）」で初期化されている。そして、メモリ４１１に一時記憶されているキャリアセンス処理の結果を示す情報に基づいて、電波干渉のおそれがある高レベルの信号が存在していることが確認されたスロットに対応するフラグ領域には値「１」が書き込まれる。そうでないスロットに対応するフラグ領域は値「０」のままとされる。
【００８０】
［主装置１の使用スロットデータ部とスキャンデータ部］
そして、図１、図２に示した主装置１のデータ蓄積部１５の使用スロットデータ部１５Ａには、図４（Ａ）に示した使用スロットデータが、スキャンデータ部１５Ｂには、図４（Ｂ）に示したスキャンデータが格納される。ここで、図１、図２に示した主装置１のデータ蓄積部１５の使用スロットデータ部１５Ａとスキャンデータ部１５Ｂの詳細について、図４を用いて説明した使用スロットデータとスキャンデータとの関係も含めて説明する。
【００８１】
図５は、主装置１のデータ蓄積部１５に設けられる使用スロットデータ部１５Ａとスキャンデータ部１５Ｂとについて説明するための図である。図５（Ａ）に示すように、使用スロットデータ部１５Ａには、主装置１に接続されたコードレス電話装置２１〜２ｎごとの使用スロットデータファイル１５Ａ１、１５Ａ２、…が設けられている。すなわち、図５（Ａ）において、電話装置２１用使用スロットデータファイル１５Ａ１は、コードレス電話装置２１用のものであり、電話装置２２用使用スロットデータファイル１５Ａ２は、コードレス電話装置２２用のものである。
【００８２】
各コードレス電話装置２１〜２ｎの親機ＢＳ１〜ＢＳｎからの使用スロットデータは、それぞれのコードレス電話装置に対応する使用スロットデータファイル１５Ａ１、１５Ａ２、…に格納される。そして、親機ＢＳ１〜ＢＳｎにおいて、所定時間分、あるいは、所定数分、使用スロットデータが生成されると、「シーケンスＮｏ．」が同じ使用スロットデータが生成される。このため、主装置１では、各コードレス電話装置の使用スロットデータファイル１５Ａ１、１５Ａ２、…に、同じ「シーケンスＮｏ．」の使用スロットデータが存在することとなる場合には、古い使用スロットデータを新しい使用スロットデータに置き換えられる。
【００８３】
さらに、各コードレス電話装置の使用スロットデータファイル１５Ａ１、１５Ａ２、…では、最新に記録された使用スロットデータには、ポインタが付けられる。これにより、使用スロットデータファイル１５Ａ１、１５Ａ２、…では、所定数の使用スロットデータが蓄積されるまでは、「シーケンスＮｏ．」が「１」〜最後に記録された使用スロットデータまでが時系列順に並べられたデータとなる。
【００８４】
そして、使用スロットデータファイル１５Ａ１、１５Ａ２、…に、所定数の使用スロットデータが蓄積されたとする。この場合には、ポインタが付された使用スロットデータの次の使用スロットデータが一番古い使用スロットデータ（先頭）となり、ポインタが付された使用スロットデータが最新の使用スロットデータ（末尾）となる。使用スロットデータファイル１５Ａ１、１５Ａ２、…では、一番古い使用スロットデータ（先頭）から最新の使用スロットデータ（末尾）までの使用スロットデータが時系列順に並べられて記憶保持される。このように、使用スロットデータファイル１５Ａ１、１５Ａ２、…のそれぞれは、いわゆるリングバッファと同様の構成を有している。
【００８５】
そして、各親機ＢＳ１〜ＢＳｎのそれぞれにおいては、上述もしたように主装置１からの基準同期信号に基づいて、１．２８秒ごとの同じタイミングで使用スロットデータが生成される。このようにして各親機ＢＳ１〜ＢＳｎのそれぞれで生成された使用スロットデータが主装置１に送信されて、使用スロットデータ部１５Ａの使用スロットデータファイル１５Ａ１、１５Ａ２、…に格納される。このため、主装置１においては、使用スロットデータ部１５Ａの各使用スロットデータファイル１５Ａ１、１５Ａ２、…のデータを確認すれば、１．２８秒ごとのタイミングで、各コードレス電話装置では、どのチャンネルのどのスロットを無線通信に用いていたのかが把握できるようにされる。
【００８６】
図５（Ｂ）に示すように、データ蓄積部１５のスキャンデータ部１５Ｂには、主装置１に接続されたコードレス電話装置２１〜２ｎごとのスキャンデータファイル１５Ｂ１、１５Ｂ２、…が設けられている。すなわち、図５（Ｂ）において、電話装置２１用スキャンデータファイル１５Ｂ１は、コードレス電話装置２１用のものであり、電話装置２２用スキャンデータファイル１５Ｂ２は、コードレス電話装置２２用のものである。
【００８７】
そして、各コードレス電話装置用のスキャンデータファイル１５Ｂ１、１５Ｂ２、…には、１．２８秒ごとに各親機ＢＳ１〜ＢＳｎのそれぞれにおいて生成されて送信されて来るスキャンデータが、コードレス電話装置ごとであって時系列順に格納される。すなわち、各コードレス電話装置用のスキャンデータファイル１５Ｂ１、１５Ｂ２、…のそれぞれにおいても、図５（Ａ）を用いて説明した各コードレス電話装置用の使用スロットデータファイル１５Ａ１、１５Ａ２、…の場合と同様に、コードレス電話装置ごとに、所定期間分のスキャンデータが時系列順に記憶保持される。そして、各コードレス電話装置用のスキャンデータファイル１５Ｂ１、１５Ｂ２、…のそれぞれもまた、いわゆるリングバッファと同様の構成を有している。
【００８８】
＜子機の構成例；図６＞
図６は、子機ＨＳ１の構成例を示すブロック図である。図６に示すように、子機ＨＳ１は、無線通信回路５１と、制御回路５２と、コーデック回路５３と、発振器５４と、マイクロホン５５と、スピーカ５６とを備えて構成されている。マイクロホン５５は送話器を構成し、スピーカ５６は受話器を構成する。
【００８９】
無線通信回路５１は、ＤＥＣＴ規格の無線通信を行うための汎用の子機用無線通信ＬＳＩを用いている。この無線通信回路５１は、制御部５１１と、ＴＤＭＡ変復調部５１２と、無線通信部５１３とを備えて構成されている。無線通信部５１３は、親機ＢＳ１との間で、無線通信を行うための回路部である。
【００９０】
制御部５１１は、ＴＤＭＡ変復調部５１２及び無線通信部５１３に接続されると共に、制御回路５２に接続されている。制御部５１１は、この無線通信回路５１の全体の動作を制御すると共に、制御回路５２から得た制御信号に基づく制御信号をＴＤＭＡ変復調部５１２に供給する。
【００９１】
ＴＤＭＡ変復調部５１２は、制御部５１１及び無線通信部５１３に接続されると共に、コーデック回路５３と接続されており、制御部５１１からの制御信号とコーデック回路５３からの音声信号を親機ＢＳ１に送信するために変調を行う。このＴＤＭＡ変復調部５１２で変調された信号は、無線通信部５１３を通じて親機ＢＳ１に送信される。
【００９２】
また、ＴＤＭＡ変復調部５１２は、無線通信部５１３で受信された親機ＢＳ１からの受信信号から、音声信号及び制御信号を復調し、復調した音声信号はコーデック回路５３に供給し、復調した制御信号は、制御部５１１に供給する。
【００９３】
そして、ＴＤＭＡ変復調部５１２は、クロック生成用のＰＬＬ部５１２１を備える。このＰＬＬ部５１２１には、発振器５４からの発振信号が供給されると共に、無線通信部５１３からの受信信号の復調信号が供給され、このＰＬＬ部５１２１からは、発振器５４からの発振信号から、受信信号の復調信号のクロック成分に同期したクロック信号が生成される。このＰＬＬ部５１２１からのクロック信号は、ＴＤＭＡ変復調部５１２における処理用クロック信号とされる。
【００９４】
コーデック回路５３は、ＴＤＭＡ変復調部５１２で復調された音声信号を復号して、アナログ音声信号に変換し、そのアナログ音声信号をスピーカ５６に供給して、受話音声として放音する。また、コーデック回路５３は、マイクロホン５５で収音したアナログ音声信号を符号化して、ＴＤＭＡ変復調部５１２に供給するようにする。
【００９５】
なお、制御回路５２は、この子機ＨＳ１からの発呼時には、発呼時の呼制御信号を、無線通信回路５１を通じて親機ＢＳ１に送信し、また、親機ＢＳ１からの着信時の呼制御信号を受けた時には、着信音をスピーカ５６から放音するなどの処理を行う。
【００９６】
また、図示しないが、ＴＤＭＡ変復調部５１２には、キャリアセンス部が設けられている。そして、発信したり、着信に応答したりして通話を行う場合に、子機ＨＳ１のキャリアセンス部においても、キャリアセンス処理を行って、空きスロットを検知し、制御部５１１を通じて親機にトラフィックベアラとなるスロットの候補を通知する。これにより、親機のキャリアセンス部４４２２でのキャリアセンスの結果と一致していれば、親機ＢＳ１は、子機からの候補とされたスロットをトラフィックベアラとして取得して通話を開始ようにできる。
【００９７】
以上の説明は、コードレス電話装置２１の親機ＢＳ１及び子機ＨＳ１についての説明であるが、前述したように、その他のコードレス電話装置２２〜２ｎの親機ＢＳ２〜ＢＳｎ及び子機ＨＳ２〜ＨＳｎについても同様の構成を有するものである。
【００９８】
［主装置１によるスロットの取得制御及び移動制御］
上述した構成を有する主装置１は、データ蓄積部１５の使用スロットデータ部１５Ａの使用スロットデータとスキャンデータ部１５Ｂのスキャンデータとに基づいて、電波干渉の生じる可能性が高いスロットを予測する。当該予測結果に基づいて、主装置１は、電波干渉の生じる可能性の高いスロットを避けて、スロットを取得するように、自機に接続されたコードレス電話装置２１〜２ｎの親機ＢＳ１〜ＢＳｎを制御することができる。また、主装置１は、当該予測結果から自機に接続されたコードレス電話装置が、電波干渉の生じる可能性の高いスロットを使用していると判明した場合には、別のスロットに移動するように、当該コードレス電話装置の親機を制御することができる。
【００９９】
ここでは、主装置１で行われる電波干渉の生じる可能性が高いスロットの予測処理の具体例について、図７〜図１０を参照しながら説明する。なお、ここでは説明を簡単にするため、主装置１に対して、３つのコードレス電話装置２１、２２、２３が接続されている場合であって、コードレス電話装置２１についての電波干渉を予測する場合を例にして説明する。
【０１００】
＜決まったスロットに固定的に他システムの電波が生じている場合＞
図７は、決まったスロットに固定的に他システムなどの電波が生じている場合について説明するための図である。図７（Ａ）は、主装置１のデータ蓄積部１５のスキャンデータ部１５Ｂに蓄積されたスキャンデータのスロットテーブル部の構成を示している。すなわち、スキャンデータのスロットテーブル部は、ダウンリンクについてＳ０〜Ｓ１１までの１２スロット分のフラグエリアを備えると共に、アップリンクついてＳ１２〜Ｓ２３までの１２スロット分のフラグエリアを備えている。
【０１０１】
そして、図７（Ｂ）、（Ｃ）、（Ｄ）は、コードレス電話装置２１の親機ＢＳ１から送信されてきたスキャンデータのスロットテーブル部を示している。この場合、図７（Ｂ）が「シーケンスＮｏ．」＝１のスキャンデータのスロットテーブル部であり、図７（Ｃ）が「シーケンスＮｏ．」＝２のスキャンデータのスロットテーブル部である。また、図７（Ｄ）が「シーケンスＮｏ．」＝３のスキャンデータのスロットテーブル部である。なお、これらのスキャンデータの生成時における使用チャンネルは、「Ｃｈ１（チャンネル１）」である。
【０１０２】
図７（Ｂ）、（Ｃ）、（Ｄ）を見ると分かるように、ダウンリンクでは、スロットＳ０、Ｓ２、Ｓ４、Ｓ６、Ｓ７が「１（オン）」にされて何等かの電波が存在していることが示され、アップリンクではスロットＳ１２、Ｓ１４、Ｓ１６が「１（オン）」にされて何等かの電波が存在していることが示されている。しかし、この状態では、主装置１に接続された同じ電話システムのコードレス電話装置により使用されているのか、例えばＰＨＳなどの他のシステムの端末により使用されているのかが分からない。そこで、主装置１の制御回路１２は、データ蓄積部１５の使用スロットデータ部１５Ａのコードレス電話装置２１、２２、２３の使用スロットデータファイル１５Ａ１、１５Ａ２、１５Ａ３を参照し、これらコードレス電話装置２１、２２、２３で使用されているスロットを把握する。
【０１０３】
具体的には、「シーケンスＮｏ．」が同じである使用スロットデータとスキャンデータとは同じタイミングで生成されたものであるので、これらを付き合わせることにより、コードレス電話装置２１、２２、２３が使用しているスロットが把握できる。そして、図７（Ｂ）、（Ｃ）、（Ｄ）において、スロットテーブル部の上側に「＊（アスタリスク）」を付して示したスロットが、コードレス電話装置２１、２２、２３により使用されていることが特定できたとする。すなわち、ダウンリンクではスロットＳ０、Ｓ２、Ｓ４が、アップリンクではスロットＳ１２、Ｓ１４、Ｓ１６が、コードレス電話装置２１、２２、２３で使用されていたとする。
【０１０４】
この場合、図７（Ｂ）、（Ｃ）、（Ｄ）において、斜線を付して示したスロットＳ６、Ｓ７に他システムの電波が存在していることが確認できる。これら以外のスロットには電波干渉が生じるような他システムの電波は生じていない。この場合、主装置１の制御回路１２は、連続してスロットＳ６、Ｓ７に他システムの電波が生じていることから、引き続きスロットＳ６、Ｓ７には、当該電波による電波干渉が生じると予測できる。
【０１０５】
このような状況にあるときに、コードレス電話装置２１の子機ＨＳ１が、着信に応答したり、あるいは、発信したりするなどして、主装置１を通じて相手先との間に通話回線を接続し、通話を行うようにしたとする。このとき、親機ＢＳ１の制御回路４１は、主装置１に対して、トラフィックベアラとして取得可能なスロットを問い合わせる。主装置１の制御回路１２は、上述した電波干渉が生じるスロットの予測結果から、スロットＳ６、Ｓ７は避けてトラフィックベアラとなるスロットを取得するように、親機ＢＳ１を制御する。
【０１０６】
図７（Ｅ）は、主装置１によるコードレス電話装置２１の親機ＢＳ１のスロットの取得指示（取得制御）の具体例を示している。この例の場合、主装置１は、ダウンリンクでは他システムの電波が固定的に生じているスロットＳ６、Ｓ７は避けて、スロットＳ８をトラフィックベアラとして取得するように制御する。また、それまでコードレス電話装置２１がダミーベアラとして取得していたスロットＳ０、Ｓ１２は開放する。また、アップリンクでは電波干渉は生じていないが、ダウンリンクで取得するスロットに対応して、スロットＳ２０を取得するように制御する。なお、アップリンクに電波干渉が生じている場合には、アップリンクについても、電波干渉を受ける可能性の高いスロットを予測し、そのスロットを避けて通信に用いるスロットを取得するように制御可能である。
【０１０７】
このように、同じスロットに固定的に他システムの電波が存在している場合には、当該スロットには引き続き他システムの電波が発生すると予測し、当該スロットを避けて、トラフィックベアラとして使用するスロットを取得するようにできる。
【０１０８】
＜他システムの電波が一方向にスロットを移動するようにして発生している場合＞
図８は、他システムの電波が一方向にスロットを移動するようにして発生している場合について説明するための図である。図８（Ａ）は、図７（Ａ）と同様に、主装置１のデータ蓄積部１５のスキャンデータ部１５Ｂに蓄積されたスキャンデータのスロットテーブル部の構成を示している。
【０１０９】
また、図８（Ｂ）、（Ｃ）、（Ｄ）は、コードレス電話装置２１の親機ＢＳ１から送信されてきたスキャンデータのスロットテーブル部を示している。そして、図８（Ｂ）が「シーケンスＮｏ．」＝１のスキャンデータのスロットテーブル部を、図８（Ｃ）が「シーケンスＮｏ．」＝２のスキャンデータのスロットテーブル部を、図８（Ｄ）が「シーケンスＮｏ．」＝３のスキャンデータのスロットテーブル部を示している。なお、これらのスキャンデータの生成時における使用チャンネルは、「Ｃｈ１（チャンネル１）」である。
【０１１０】
そして、図８においても、主装置１の制御回路１２が、データ蓄積部１５の使用スロットデータ部１５Ａのコードレス電話装置２１、２２、２３の使用スロットデータファイル１５Ａ１、１５Ａ２、１５Ａ３を参照し、これらコードレス電話装置２１、２２、２３で使用されているスロットを把握する。図８（Ｂ）、（Ｃ）、（Ｄ）において、スロットテーブル部の上側に「＊（アスタリスク）」を付して示したスロットが、コードレス電話装置２１、２２、２３により使用されていることが把握できたとする。
【０１１１】
すなわち、図８（Ｂ）、（Ｃ）、（Ｄ）に示すように、ダウンリンクではスロットＳ０、Ｓ２、Ｓ４が、アップリンクではスロットＳ１２、Ｓ１４、Ｓ１６が、コードレス電話装置２１、２２、２３で使用されていたとする。したがって、図８（Ｂ）に示す「シーケンスＮｏ．＝１」のスロットテーブル部では、スロットＳ６に他システムの電波が存在していることが把握できる。また、図８（Ｃ）に示す「シーケンスＮｏ．＝２」のスロットテーブル部では、スロットＳ７に他システムの電波が存在していることが把握できる。
【０１１２】
また、図８（Ｄ）に示す「シーケンスＮｏ．＝３」のスロットテーブル部では、スロットＳ８に他システムの電波が存在していることが把握できる。したがって、図８（Ｂ）、（Ｃ）、（Ｄ）の他システムの電波の発生状況が、スロットＳ６→スロットＳ７→スロットＳ８というように移動していることから、次にはスロットＳ９に他システムの電波が移動すると予測できる。
【０１１３】
このような状況にあるときに、コードレス電話装置２１の子機ＨＳ１が、着信に応答したり、あるいは、発信したりするなどして、主装置１を通じて相手先との間に通話回線を接続し、通話を行うようにしたとする。このとき、親機ＢＳ１の制御回路４１は、主装置１に対して、トラフィックベアラとして取得可能なスロットを問い合わせる。主装置１の制御回路１２は、上述した電波干渉が生じるスロットの予測結果から、次に他システムの電波が発生する可能性の高いスロットＳ９、Ｓ１０、Ｓ１１は避けてトラフィックベアラとなるスロットを取得するように、親機ＢＳ１を制御する。
【０１１４】
図８（Ｅ）は、主装置１によるコードレス電話装置２１の親機ＢＳ１のスロットの取得指示（取得制御）の具体例を示している。この例の場合、主装置１は、ダウンリンクでは他システムの電波の移動方向とは逆のスロットＳ６を取得するように制御する。また、アップリンクでは電波干渉は生じていないが、ダウンリンクで取得するスロットに対応して、スロットＳ１８を取得するように制御する。なお、それまでダミーベアラとして使用していたスロットＳ０、Ｓ１２は開放する。また、アップリンクのスロットに電波干渉が生じている場合には、アップリンクについても、電波干渉を受ける可能性の高いスロットを予測し、そのスロットを避けて通信に用いるスロットを取得するように制御可能である。
【０１１５】
このように、他システムの電波がスロットを移動しながら存在している場合には、その移動方向を考慮して、これから当該他システムの電波により電波干渉を受ける可能性の高いスロットを予測する。そして、予測した結果、これから他システムの電波により電波干渉を受ける可能性の高いスロットを避けて、トラフィックベアラとして使用するスロットを取得するようにできる。
【０１１６】
＜他システムの電波が所定のスロット範囲で発生している場合＞
図９は、他システムの電波が所定のスロット範囲で発生している場合について説明するための図である。図９（Ａ）は、図７（Ａ）と同様に、主装置１のデータ蓄積部１５のスキャンデータ部１５Ｂに蓄積されたスキャンデータのスロットテーブル部の構成を示している。
【０１１７】
また、図９（Ｂ）、（Ｃ）、（Ｄ）は、コードレス電話装置２１の親機ＢＳ１から送信されてきたスキャンデータのスロットテーブル部を示している。そして、図９（Ｂ）が「シーケンスＮｏ．」＝１のスキャンデータのスロットテーブル部を、図９（Ｃ）が「シーケンスＮｏ．」＝２のスキャンデータのスロットテーブル部を、図９（Ｄ）が「シーケンスＮｏ．」＝３のスキャンデータのスロットテーブル部を示している。なお、これらのスキャンデータの生成時における使用チャンネルは、「Ｃｈ１（チャンネル１）」である。
【０１１８】
そして、図９においても、主装置１の制御回路１２が、データ蓄積部１５の使用スロットデータ部１５Ａのコードレス電話装置２１、２２、２３の使用スロットデータファイル１５Ａ１、１５Ａ２、１５Ａ３を参照し、これらコードレス電話装置２１、２２、２３で使用されているスロットを把握する。図９（Ｂ）、（Ｃ）、（Ｄ）において、スロットテーブル部の上側に「＊（アスタリスク）」を付して示したスロットが、コードレス電話装置２１、２２、２３により使用されていることが把握できたとする。
【０１１９】
すなわち、図９（Ｂ）、（Ｃ）、（Ｄ）に示すように、ダウンリンクではスロットＳ０、Ｓ２、Ｓ４が、アップリンクではスロットＳ１２、Ｓ１４、Ｓ１６が、コードレス電話装置２１、２２、２３で使用されていたとする。したがって、図９（Ｂ）に示す「シーケンスＮｏ．＝１」のスロットテーブル部では、スロットＳ５に他システムの電波が存在していることが把握できる。また、図９（Ｃ）に示す「シーケンスＮｏ．＝２」のスロットテーブル部では、スロットＳ７に他システムの電波が存在していることが把握できる。
【０１２０】
また、図９（Ｄ）に示す「シーケンスＮｏ．＝３」のスロットテーブル部では、スロットＳ６に他システムの電波が存在していることが把握できる。したがって、図９（Ｂ）、（Ｃ）、（Ｄ）の他システムの電波の発生状況は、スロットＳ５、Ｓ６、Ｓ７の範囲で、ランダムに移動していることが分かる。したがって、スロットＳ５、Ｓ６、Ｓ７には、他のシステムの電波が発生する可能性が高いと予測できる。
【０１２１】
このような状況にあるときに、コードレス電話装置２１の子機ＨＳ１が、着信に応答したり、あるいは、発信したりするなどして、主装置１を通じて相手先との間に通話回線を接続し、通話を行うようにしたとする。このとき、親機ＢＳ１の制御回路４１は、主装置１に対して、トラフィックベアラとして取得可能なスロットを問い合わせる。主装置１の制御回路１２は、上述した電波干渉が生じるスロットの予測結果から、次に他システムの電波が発生する可能性の高いスロットＳ５、Ｓ６、Ｓ７は避けてトラフィックベアラとなるスロットを取得するように、親機ＢＳ１を制御する。
【０１２２】
図９（Ｅ）は、主装置１によるコードレス電話装置２１の親機ＢＳ１のスロットの取得指示（取得制御）の具体例を示している。この例の場合、主装置１は、ダウンリンクでは他システムの電波の発生する可能性の高いスロットＳ５、Ｓ６、Ｓ７は避け、例えばスロットＳ８を取得するように制御する。また、アップリンクでは電波干渉は生じていないが、ダウンリンクで取得するスロットに対応して、スロットＳ２０を取得するように制御する。なお、それまでダミーベアラとして使用していたスロットＳ０、Ｓ１２は開放する。また、アップリンクのスロットに電波干渉が生じている場合には、アップリンクについても、電波干渉を受ける可能性の高いスロットを予測し、そのスロットを避けて通信に用いるスロットを取得するように制御可能である。
【０１２３】
このように、他システムの電波が所定のスロット範囲で発生している場合には、そのスロット範囲では、これからも他システムの電波により電波干渉を受ける可能性の高いと予測する。そして、予測した結果、これから他システムの電波により電波干渉を受ける可能性の高いスロットを避けて、トラフィックベアラとして使用するスロットを取得するようにできる。
【０１２４】
＜使用中のスロットが電波干渉を受ける可能性が高い場合＞
図１０は、使用中のスロットが、他システムの電波により電波干渉を受ける可能性が高い場合について説明するための図である。図１０（Ａ）は、図７（Ａ）と同様に、主装置１のデータ蓄積部１５のスキャンデータ部１５Ｂに蓄積されたスキャンデータのスロットテーブル部の構成を示している。
【０１２５】
また、図１０（Ｂ）、（Ｃ）、（Ｄ）は、コードレス電話装置２１の親機ＢＳ１から送信されてきたスキャンデータのスロットテーブル部を示している。そして、図１０（Ｂ）が「シーケンスＮｏ．」＝１のスキャンデータのスロットテーブル部を、図１０（Ｃ）が「シーケンスＮｏ．」＝２のスキャンデータのスロットテーブル部を、図１０（Ｄ）が「シーケンスＮｏ．」＝３のスキャンデータのスロットテーブル部を示している。なお、これらのスキャンデータの生成時における使用チャンネルは、「Ｃｈ１（チャンネル１）」である。
【０１２６】
そして、図１０においても、主装置１の制御回路１２が、データ蓄積部１５の使用スロットデータ部１５Ａのコードレス電話装置２１、２２、２３の使用スロットデータファイル１５Ａ１、１５Ａ２、１５Ａ３を参照し、これらコードレス電話装置２１、２２、２３で使用されているスロットを把握する。図１０（Ｂ）、（Ｃ）、（Ｄ）において、スロットテーブル部の上側に「＊（アスタリスク）」を付して示したスロットが、コードレス電話装置２１、２２、２３により使用されていることが把握できたとする。
【０１２７】
すなわち、図１０（Ｂ）、（Ｃ）、（Ｄ）に示すように、ダウンリンクではスロットＳ２、Ｓ４、Ｓ８が、アップリンクではスロットＳ１４、Ｓ１６、Ｓ２０が、コードレス電話装置２１、２２、２３で使用されていたとする。したがって、図１０（Ｂ）に示す「シーケンスＮｏ．＝１」のスロットテーブル部では、スロットＳ５に他システムの電波が存在していることが把握できる。また、図１０（Ｃ）に示す「シーケンスＮｏ．＝２」のスロットテーブル部では、スロットＳ６に他システムの電波が存在していることが把握できる。
【０１２８】
また、図１０（Ｄ）に示す「シーケンスＮｏ．＝３」のスロットテーブル部では、スロットＳ７に他システムの電波が存在していることが把握できる。したがって、図１０（Ｂ）、（Ｃ）、（Ｄ）の他システムの電波の発生状況は、スロットＳ５→Ｓ６→Ｓ７のように他システムの電波がスロットを移動するように発生していたとする。この状況から主装置１の制御回路１２は、次にはスロットＳ８で他システムの電波が発生する可能性が高いと予測できる。
【０１２９】
この場合に、ダウンリンクのスロットＳ８、アップリンクのスロットＳ２０がコードレス電話装置２１でトラフィックベアラとして取得され、通話に利用されていたとする。詳述したように、主装置１の制御回路１２は、次にはスロットＳ８で他システムの電波が発生する可能性が高いと予測するが、このままではコードレス電話装置２１を通じて行う通話品質が劣化するおそれがある。そこで、制御回路１２は、コードレス電話装置２１の親機に対して、使用しているスロットを移動するように指示（制御）する。
【０１３０】
図１０（Ｅ）は、主装置１によるコードレス電話装置２１の親機ＢＳ１のスロットの移動指示（移動制御）の具体例を示している。この例の場合、主装置１は、ダウンリンクにおいて、他システムの電波の影響を受ける可能性の高い、コードレス電話装置２１で利用されているスロットＳ８を、他システムの電波の影響を受ける可能性の低いスロットＳ０に移動するように制御する。
【０１３１】
また、アップリンクでは電波干渉は生じていないが、ダウンリンクで移動するスロットに対応して、スロットＳ１２へ移動するように制御する。なお、それまでトラフィックベアラとして使用していたスロットＳ８、Ｓ２０は開放する。また、アップリンクのスロットに電波干渉が生じている場合には、アップリンクについても、電波干渉を受ける可能性の高いスロットを予測し、そのスロットを避けて通信に用いるスロットを移動するように制御可能である。
【０１３２】
このように、例えば、通話に使用しているスロットが、他システムの電波による電波干渉を受けることが予測できたとする、この場合には、主装置１の制御回路１２は、他システムの電波の影響を受ける可能性の高いスロットを利用しているコードレス電話装置に対して、スロットを移動するように制御できる。これにより、通話時においては、通話品質が劣化することを防止できるし、待ち受け時においては、送受される制御信号等が劣化することを防止できる。
【０１３３】
［コードレス電話装置の親機の動作と主装置の動作］
以下においては、コードレス電話装置２１〜２ｎの親機ＢＳ１〜ＢＳｎで行われるスロットの取得や移動に関する処理と、主装置１で行われる電波干渉を受ける可能性が高いスロットの予測等の処理について、フローチャートを参照しながら説明する。なお、以下においても、親機ＢＳ１〜ＢＳｎで行われる処理については、説明を簡単にするため、親機ＢＳ１で行われる処理として説明する。
【０１３４】
［親機でのキャリアセンス処理］
図１１は、コードレス電話装置２１の親機ＢＳ１で実行されるキャリアセンス処理を説明するためのフローチャートである。親機ＢＳ１では、主装置１からの基準同期信号ＳＹＮＣに基づいて形成される同期信号に基づいて、１．２８秒ごとに図１１に示すキャリアセンス処理を実行する。
【０１３５】
すなわち、無線通信回路４４のキャリアセンス部４４２２は、バックグラウンドでフレーム分の信号を受信し、受信したフレームの各スロットに電波干渉を生じるような電波が存在しているか否かを検知するキャリアセンス処理を行う（ステップＳ１０１）。このキャリアセンス処理の結果を示す情報は、制御部４４１を通じて、自機の使用スロットを示す情報と共に制御回路４１に供給され、メモリ４１１に格納される。
【０１３６】
そして、通知処理部４１２は、使用スロットデータとスキャンデータとを生成して、これらを主装置１に送信するようにする（ステップＳ１０２）。具体的に、ステップＳ１０２において、通知処理部４１２は、メモリ４１１の使用スロットを示す情報に基づいて、図４（Ａ）を用いて説明した使用スロットデータを生成する。また、通知処理部４１２は、メモリ４１１のキャリアセンス処理の結果を示す情報に基づいて、図４（Ｂ）を用いて説明したスキャンデータを生成する。これら使用スロットデータとスキャンデータとが主装置１に送信され、主装置１において、そのそれぞれのデータが、コードレス電話装置ごとであって、時系列順に管理されることになる。
【０１３７】
この後、キャリアセンス部４４２２、制御部４４１、通知処理部４１２は、図１１に示す処理を終了し、次の１．２８秒後の開始タイミングを待つことになる。この図１１に示す処理により、主装置１において、電波干渉を受けるスロットの予測処理を行うための時系列データが主装置１に整えられる。
【０１３８】
［親機でのスロット取得処理］
図１２は、コードレス電話装置２１の親機ＢＳ１で実行されるスロット取得処理を説明するためのフローチャートである。親機ＢＳ１では、例えば、通話開始するときにトラフィックベアラとしてのスロットを取得する場合など、自機で用いるスロットを取得する場合に、図１２に示すスロット取得処理を実行する。具体的にスロット制御部４１３は、取得可能スロットの問い合わせ要求を形成し、これを主装置１に送信する処理を行う（ステップＳ２０１）。
【０１３９】
この問い合わせ要求の送信に応じて、主装置１において後述するように、他システムの電波により電波干渉を受ける可能性の高いスロットを避けて、良好に無線通信ができるスロットを通知して来るので、スロット制御部４１３は、これを受信する（ステップＳ２０２）。
次に、スロット制御部４１３は、無線通信回路４４の制御部４４１を通じてＴＤＭＡ変復調部４４２を制御し、主装置１からの指示に応じて、ダウンリンクとアップリンクとのそれぞれのスロットとを取得する（ステップＳ２０３）。これにより、取得したスロットを通じて、親機ＢＳ１は自機の子機ＨＳ１との間で相互に無線通信を行うことができるようにされる。
【０１４０】
ステップＳ２０３の処理の後においては、スロット制御部４１３は、図１２に示したフローチャートの処理を終了し、次の実行タイミングを待つことになる。この図１２に示す処理により、コードレス電話装置２１において、子機ＨＳとの間で無線通信を行うためにスロットの取得が必要な場合に、主装置１に問い合わせて、電波干渉を受けずに良好に無線通信が可能なスロットの指示を受けて、そのスロットを取得できる。
【０１４１】
［親機でのスロット移動処理］
図１３は、コードレス電話装置２１の親機ＢＳ１で実行されるスロット移動処理を説明するためのフローチャートである。親機ＢＳ１の制御回路４１では、電源が投入されている間においては、常時、図１３に示す処理を実行するようにし、主装置１からの制御信号に応じた処理を行うことができるようにしている。
【０１４２】
まず、親機ＢＳ１の制御回路４１は、主装置１からの制御信号を受信するようにし（ステップＳ３０１）、主装置１からの制御信号を受信したか否かを判別する（ステップＳ３０２）。ステップＳ３０２の判別処理において、主装置１からの制御信号を受信していないと判別したときは、ステップＳ３０１からの処理を繰り返すようにする。
【０１４３】
ステップＳ３０２の判別処理において、主装置１からの制御信号を受信したと判別したときには、制御回路４１は、受信した制御信号はスロット移動を指示するものか否かを判別する（ステップＳ３０３）。ステップＳ３０３の判別処理において、受信した制御信号はスロット移動を指示するものであると判別したときには、スロット制御部４１３を機能させ、無線通信回路４４の制御部４４１を通じてＴＤＭＡ変復調部４４２を制御して、現在使用しているスロットを開放して、主装置１より指示されたスロットを取得して使用するようにするスロットの移動処理を行う（ステップＳ３０４）。この後、制御回路４１は、ステップＳ３０１からの処理を繰り返すようにする。
【０１４４】
また、ステップＳ３０３の判別処理において、受信した制御信号はスロット移動を指示するものではないと判別したときには、制御回路４１は、当該制御信号に応じた処理を実行する（ステップＳ３０４）。例えば、着信や発信に応じたＬＥＤ（Light Emitting Diode）の点灯／消灯制御や着信時ン呼び出し制御など、種々の制御が行われる。この後、制御回路４１は、ステップＳ３０１からの処理を繰り返すようにする。
【０１４５】
この図１３に示す処理により、たとえコードレス電話装置２１において、自発的にスロットの取得や変更が必要な場合でなくても、コードレス電話装置２１において使用されているスロットが、電波干渉を受ける可能性の高いスロットとる場合がある。このような場合を、主装置１において検知した場合に、主装置１からの制御に応じて、使用するスロットを移動することができる。これにより、常時、適切に親機ＢＳ１と子機ＨＳ１との間で良好に無線通信を行うことができる。
【０１４６】
［主装置１の電波干渉を受けるスロットの予測処理等］
図１４は、主装置１で実行される自機に接続されているコードレス電話装置における電波干渉を受けるスロットの予測処理等について説明するためのフローチャートである。図１４に示す処理は、例えば、時間帯を決めて実行することもできるが、ここでは、電源が投入された主装置１において、常時実行される場合を例にして説明する。また、図１４に示す処理は、主装置１の制御回路１２が実行する処理である。
【０１４７】
主装置１の制御回路１２は、自機に接続されたコードレス電話装置２１〜２ｎの親機ＢＳ１〜ＢＳから情報を受信するようにし（ステップＳ４０１）、親機ＢＳ１〜ＢＳｎから情報を受信したか否かを判別する（ステップＳ４０２）。ステップＳ４０２の判別処理において、親機ＢＳ１〜ＢＳｎから情報を受信してないと判別した時には、ステップＳ４０１からの処理を繰り返すようにする。
【０１４８】
ステップＳ４０２の判別処理において、親機ＢＳ１〜ＢＳｎから情報を受信したと判別したときには、制御回路１２は、受信した情報がスキャンデータや使用スロットデータか否かを判別する（ステップＳ４０３）。ステップＳ４０３において、受信した情報がスキャンデータや使用スロットデータであると判別した場合には、データ蓄積部１５に対するデータ更新処理を実行する（ステップＳ４０４）。
【０１４９】
具体的にステップＳ４０４において、制御回路１２は、受信した使用スロットデータを用いて、使用スロットデータ部１５Ａの対応するコードレス電話装置用の使用スロットデータファイルを更新する。同様に、制御回路１２は、受信したスキャンデータを用いて、スキャンデータ部１５Ｂの対応するコードレス電話装置用のスキャンデータファイルを更新する。このようにして、使用スロットデータ部１５Ａの各電話装置用の使用スロットデータファイルには一定量の使用スロットデータが、また、スキャンデータ部１５Ｂの各電話装置用のスキャンデータファイルには一定量のスキャンデータが、時系列順に蓄積される。
【０１５０】
この後、制御回路１２は、図７〜図１０を用いて説明したように、電波干渉の生じる可能性の高いスロットの予測処理を行う（ステップＳ４０５）。具体的にステップＳ４０５において制御回路１２は、各電話装置用のスキャンデータファイル１５Ｂ１、１５Ｂ２，…のスキャンデータのスロットテーブル部のスキャン結果に対して、自システムの電波と他システムの電波の区別評価を行う。ここでは、対応する電話装置用の使用スロットデータファイル１５Ａ１、１５Ａ２、…の使用スロットデータを用いて、自システムの電波の存在するスロットと、他システムの電波の存在するスロットを区別する。
【０１５１】
そして、制御回路１２は、自システムの電波と他システムの電波の区別評価を行ったスキャンデータを元に、他システムの電波の発生状況を把握し、移動すべきスロットを判定する処理を行う（ステップＳ４０６）。ステップＳ４０６では、図１０を用いて説明したように、現在、自システムのコードレス電話装置で用いているスロットであって、今後、他システムの電波によって電波干渉を受ける可能性の高いスロットを判定する。また、電波干渉を受ける可能性の高いスロットがあると判定した場合、そのスロットとそのスロットを使用しているコードレス電話装置を特定し、更に他システムの電波干渉を受ける可能性の低いスロットを移動先として特定する。
【０１５２】
この後、制御回路１２は、ステップＳ４０６の判定処理に基づいて、スロットの移動が必要か否かを判別し（ステップＳ４０７）、スロットの移動は必要ないと判別した時には、ステップＳ４０１からの処理を繰り返す。また、ステップＳ４０７の判別処理で、スロットの移動が必要あると判別した時には、ステップＳ４０６で特定した情報に基づいて、スロットを移動する制御信号を形成し、これを目的とするコードレス電話装置の親機に送信してスロットの移動制御を行う（ステップＳ４０８）。
【０１５３】
具体的に、ステップＳ４０８では、ステップＳ４０６で特定した電波干渉を受ける可能性の高いスロットを使用しているコードレス電話装置の親機に対して、当該スロットを開放し、特定した移動先のスロットを取得して通信を行うようにする制御信号を形成する。そして、当該制御信号を当該コードレス電話装置の親機に送信することにより、当該コードレス電話装置の親機と子機との間で使用するスロットを移動するように制御する。このステップＳ４０８の処理の後においては、ステップＳ４０１からの処理を繰り返すようにする。
【０１５４】
これにより、制御先のコードレス電話装置の親機では、子機との間で無線通信に用いているスロットを移動させ、他システムの電波の干渉を受けずに無線通信を継続して行うことができるようにされる。
【０１５５】
一方、ステップＳ４０３において、受信した情報がスキャンデータや使用スロットデータではないと判別した場合には、制御回路１２は、受信した情報が、親機からの取得するスロットの問い合わせか否かを判別する（ステップＳ４０９）。ステップＳ４０９の判別処理において、取得するスロットの問い合わせであると判別したとする。この場合、制御回路１２は、図７〜図１０を用いて説明したように、電波干渉の生じる可能性の高いスロットの予測処理を行う（ステップＳ４１０）。
【０１５６】
具体的にステップＳ４１０において制御回路１２は、上述したステップＳ４０５の処理と同様に、各電話装置用のスキャンデータファイル１５Ｂ１、１５Ｂ２，…のスキャンデータのスロットテーブル部のスキャン結果に対して、自システムの電波と他システムの電波の区別評価を行う。ここでは、対応する電話装置用の使用スロットデータファイル１５Ａ１、１５Ａ２、…の使用スロットデータを用いて、自システムの電波の存在するスロットと、他システムの電波の存在するスロットを区別し、他システムの電波の干渉を受ける可能性の高いスロットを予測する。
【０１５７】
次に、制御回路１２は、ステップＳ４１０の電波干渉の予測処理に基づき、問い合わせ元のコードレス電話装置で取得するべき、他システムの電波の干渉を受ける可能性の低いスロットを使用スロットとして特定する（ステップＳ４１１）。この後、制御回路１２は、問い合わせ元の親機に対して、取得すべきスロットを指示する制御信号を形成し、これを当該問い合わせ元のコードレス電話装置の親機に送信して、スロットの取得制御を行う（ステップＳ４１２）。このステップＳ４１２の処理の後においては、ステップＳ４０１からの処理を繰り返すようにする。
【０１５８】
これにより、当該親機では、主装置１からの制御に応じて、他システムの電波の干渉を受ける可能性の低いスロットを取得して、子機との間で無線通信を行うことができるようにされる。
【０１５９】
また、ステップＳ４０９の判別処理において、受信した情報は、親機からの取得するスロットの問い合わせではないと判別した場合には、制御回路１２は、当該受信した情報に応じた処理を実行する（ステップＳ４１３）。例えば、コードレス電話装置からの発信要求や接続した通話回線の開放要求などがコードレス電話装置の親機から送信されてきた場合には、ステップＳ４１３において、それらの要求に応じた処理が行われることになる。このステップＳ４１３の処理の後においては、ステップＳ４０１からの処理を行うようにする。
【０１６０】
この図１４に示した処理により、主装置１は、自機に接続されたコードレス電話装置で利用されるスロットについて、他システムの電波による干渉が生じる可能性の高いスロットを予測する。そして、主装置１は、自機に接続されたコードレス電話装置の親機からの問い合わせに応じて、他のシステムの電波の干渉を受ける可能性の低いスロットを取得するように制御できる。また、主装置１は、自機に接続されたコードレス電話装置において既に使用されているスロットが、他のシステムの電波の干渉を受ける可能性が高い場合に、当該他システムの電波の干渉を受ける可能性の低いスロットに移動するように制御できる。
【０１６１】
［チャンネルの変更制御］
なお、主装置１の制御回路１２による使用スロットデータ部１５Ａとスキャンデータ部１５Ｂの時系列データを用いた他システムの電波の干渉を受ける可能性の高いスロットの予測処理で、干渉を受ける可能性の低いスロットが特定できなかったとする。この場合、制御回路１２は、該当する親機に対しては、使用するチャンネルを変更するように制御する。そして、当該親機において、変更後のチャンネルを通じて信号を受信してキャリアセンス処理を行い、その結果を主装置１に送信し、当該チャンネルを通じて受信するフレームについての他システムの電波の干渉を受ける可能性の高いスロットの予測処理を行う。
【０１６２】
これにより、用いているチャンネルが他システムの電波のために安定して通信が可能なスロットが存在しない場合には、チャンネルを変更して、安定に通信が可能なスロットを特定し、これを用いて親機と子機との間の無線通信を行うようにできる。なお、チャンネルを変更するようにした場合には、それ以前の異なるチャンネルについての時系列データが蓄積された、そのコードレス電話装置の使用スロットデータファイルとスキャンデータファイルは初期化され、新たなチャンネルのフレームについて、他システムの電波の干渉を受ける可能性の高いスロットの予測処理を行うようにする。
【０１６３】
このように、主装置１は、他システムの電波の干渉を受ける可能性の高いスロットの予測処理を通じて、スロットの取得制御やスロットの移動制御を行うだけでなく、使用するチャンネルの切り替え制御を行うこともできるようにされている。
【０１６４】
［他システムの電波による干渉を受ける可能性の高いスロットの予測処理の他の例］
この実施の形態では、主装置１で行われる他システムの電波による干渉を受ける可能性の高いスロットの予測処理については、図７〜図１０を用いて代表的な例を説明した。しかし、これに限るものではない。例えば、他システムの電波が周期的に、特定のスロットで発生したり消滅したりする場合には、当該特定のスロットは、当該周期において、他システムの電波の干渉を受けるスロットであると予測できる。また、他システムの電波が周期的に、スロットを一定の規則に従って移動しながら、発生したり消滅したりする場合には、どのタイミングでどのスロットが他システムの電波の干渉を受けるかを予測できる。
【０１６５】
このように、スキャンデータと使用スロットデータとに基づいて、他システムの電波の発生状況を把握し、時間的な発生パターンとフレームを構成するスロット上の位置的パターンとを特定する。そして、この特定したパターンに基づいて、いつ（どのタイミングで）、どのスロットが他システムの電波の干渉を受けるかを適切に予測することができる。これにより、より詳細かつ適切に、親機ごとに、スロットの取得制御や移動制御を行うことができる。
【０１６６】
［実施形態の効果］
上述した実施の形態の電話システムによれば、主装置１と、これに接続された親機ＢＳ１〜ＢＳｎが協働することにより、各コードレス電話装置２１〜２ｎで利用するフレームにおいて、他システムの電波の干渉を受ける可能性の高いスロットを適切に予測できる。換言すれば、主装置１と、これに接続された親機ＢＳ１〜ＢＳｎが協働することにより、各コードレス電話装置２１〜２ｎで利用するフレームにおいて、他システムの電波の干渉を受ける可能性の低いスロットも適切に予測できる。これにより、当該予測結果に基づいて、主装置１は、親機ＢＳ１〜ＢＳｎからの問い合わせに応じて、他システムの電波の干渉を受ける可能性の低いスロットを取得するように親機ＢＳ１〜ＢＳｎを制御できる。
【０１６７】
また、当該予測結果に基づいて、主装置１は、コードレス電話装置２１〜２ｎで使用されているスロットのうち、他システムの電波の干渉を受ける可能性の高いスロットを特定できる。換言すれば、主装置１と、これに接続された親機ＢＳ１〜ＢＳｎが協働することにより、各コードレス電話装置２１〜２ｎで利用するフレームにおいて、他システムの電波の干渉を受ける可能性の低いスロットも適切に予測できる。この場合、主装置１は、他システムの電波の干渉を受ける可能性の低いスロットに移動するように、親機ＢＳ１〜ＢＳｎを制御できる。
【０１６８】
さらに、使用しているチャンネルに他システムの電波の干渉を受ける可能性の低いスロットが存在しない場合には、チャンネルを変えることもできるようにされる。
【０１６９】
このようにして、主装置１に接続されたコードレス電話装置２１〜２ｎのそれぞれにおいて、他システムの電波の影響を受ける可能性の低いスロットを用いて、親機と子機との間で無線通信を行うようにすることができる。
【０１７０】
［変形例］
上述した実施の形態では、コードレス電話装置の親機ＢＳ１〜ＢＳｎにおいて、１．２８秒周期でキャリアセンス処理を行って、使用スロットデータとスキャンデータとを生成し、主装置１に送信するようにしたが、これに限るものではない。主装置１に接続されたコードレス電話装置間で同期をとって定められる適宜の周期で、キャリアセンス処理を行って、使用スロットデータとスキャンデータとを生成し、主装置１に送信するようにできる。
【０１７１】
また、主装置１のデータ蓄積部１５に形成される、使用スロットデータ部１５Ａの各電話装置用の使用スロットデータファイルと、スキャンデータ部１５Ｂの各電話装置用のスキャンデータファイルとの記憶容量は、予測処理の精度の観点から定められる。
【０１７２】
また、図１１のフローチャートに示した親機ＢＳ１〜ＢＳｎにおいて実行されるキャリアセンス処理と、図１４のフローチャートに示した主装置１において実行される予測処理は、常時実行されるものとして説明したが、これに限るものではない。例えば、当該電話システムの導入直後の一定期間において実行し、他システムの電波による電波干渉が生じにくい場合には当該処理を停止するようにできる。そして、呼制御が適正に行われない場合が発生したり、通話音声が劣化する状態が発生したりした場合に、図１１〜図１４に示した処理を行うようにすることもできる。
【０１７３】
また、上述した実施の形態において、コードレス電話装置は、ＤＥＣＴ規格の通信方式が用いられたものであるものとして説明したが、これに限るものではない。コードレス電話装置の親機と子機との間では、複数の通信チャンネルの利用が可能で、選択された通信チャンネルにおいて、単位通信期間を複数のスロットに分割し、親機から子機への通信と子機から親機への通信のそれぞれにおいて、少なくとも１つのスロットを用いて無線通信を行うものである場合に、この発明を適用できる。
【０１７４】
また、他システムの電波は、同じ主装置に接続されていない理由から、フレーム同期がずれており、このずれを生じたままフレーム間を移動している。そこで、他システムの電波の移動幅を検出することで、通話に移行した場合に電波干渉の影響を及ぼすか否かを事前に検出することもできる。すなわち、他システムの電波の発生するスロットが変わる場合には、その移動の幅（スロット数）を把握し、その移動幅と移動の方向とを用いて、当該他システムの電波の干渉を受けるスロットを予測することができる。
【０１７５】
また、上述した実施の形態において、コードレス電話装置の上位装置は主装置であるものとして説明したが、これに限るものではない。上位装置には、例えば、ＳＩＰ（Session Initiation Protocol）サーバなど、１以上の通信回線が接続されると共に、複数のコードレス電話装置などの電話端末を収容して、呼制御などを行う装置が含まれる。
【０１７６】
［その他］
上述した実施の形態の説明からも分かるように、請求項における親機（以下、単に親機と記載する。）の検出手段の機能は、実施の形態の親機ＢＳ１等（以下、単に親機ＢＳ１等と記載する。）のキャリアセンス手段が実現している。また、第１、第２の送信手段の機能は、主に親機ＢＳ１等の通知処理部４１２が実現している。また、親機の指示情報受信手段の機能は、親機ＢＳ１等の主に回線ＬＳＩ部が実現し、親機の制御手段の機能は、親機ＢＳ１等のスロット制御部４１３が実現している。また、親機の問い合わせ手段の機能は、親機ＢＳ１等の制御回路４１が実現している。
【０１７７】
また、請求項における上位装置（以下、単に上位装置と記載する。）の第１、第２の受信手段の機能は、実施の形態の主装置１（以下、単に主装置１と記載する）の回線ＬＳＩ部１３が実現している。また、上位装置のスキャンデータ記憶手段の機能は、主装置１のスキャンデータ部１５Ｂが実現し、上位装置の使用スロットデータ記憶手段の機能は、主装置１の使用スロットデータ部１５Ａが実現している。また、上位装置の予測手段の機能は、主装置１の制御回路１２が実現している。また、上位装置の指示情報送信手段の機能は、主装置１の制御回路１２と回線ＬＳＩ部１３とが協働して実現している。また、上位装置の問い合わせ受け付け手段の機能は、主装置１の回線ＬＳＩ部１３と制御回路１２とが実現している。
【符号の説明】
【０１７８】
１…主装置、１１…回線Ｉ／Ｆ、１２…制御回路、１３…回線ＬＳＩ部、１４…基準発振器、１５…データ蓄積部、１５Ａ…使用スロットデータ部、１５Ｂ…スキャンデータ部、２１〜２ｎ…コードレス電話装置、ＢＳ１〜ＢＳｎ…親機、ＨＳ１〜ＨＳｎ…子機、４１…制御回路、４１１…メモリ、４１２…通知処理部、４１３…スロット制御部、４２…回線ＬＳＩ部、４３…同期信号発生回路、４３１…カウンタ、４３２…同期信号生成部、４４…無線通信回路、４４１…制御部、４４２…ＴＤＭＡ変復調部、４４２１…ＰＬＬ部、４４２２…キャリアセンス部、４４３…無線通信部
【図１】
2018117207.tif 000003
【図２】
2018117207.tif 000004
【図３】
2018117207.tif 000005
【図４】
2018117207.tif 000006
【図５】
2018117207.tif 000007
【図６】
2018117207.tif 000008
【図７】
2018117207.tif 000009
【図８】
2018117207.tif 000010
【図９】
2018117207.tif 000011
【図１０】
2018117207.tif 000012
【図１１】
2018117207.tif 000013
【図１２】
2018117207.tif 000014
【図１３】
2018117207.tif 000015
【図１４】
2018117207.tif 000016
【図１５】
2018117207.tif 000017